【手続補正書】
【提出日】平成17年5月19日(2005.5.19)
【手続補正１】
【補正対象書類名】明細書
【補正対象項目名】全文
【補正方法】変更
【補正の内容】
【書類名】        明細書
【発明の名称】    使い捨て着用物品
【特許請求の範囲】
【請求項１】  前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートが、前記前後胴周り域に位置する前記パネルの両端縁部から縦方向外方へ延びる第１端部と、前記第１端部からさらに縦方向外方へ延びる第２端部とを有し、胴周り方向へ延びる胴周り用弾性部材が、前記第１端部に収縮可能に取り付けられ、前記第２端部が、前記第１端部の内面の側へ向かって折り返されて該第１端部に重なり、前記第２端部の胴周り方向へ延びる先端域が、前記胴周り用弾性部材を覆うように前記第１端部に固着された使い捨て着用物品において、
前記第１端部と前記第２端部とが、前記パネルの両側縁の胴周り方向外方に位置する両側域と、前記先端域と前記両側域とに囲まれた中央域とを有し、
前記第１および第２端部の両側域では、それら端部どうしが互いに固着され、前記第１および第２端部の中央域では、それら端部どうしが遊離していることを特徴とする前記着用物品。
【請求項２】  前記第１および第２端部の中央域では、それら端部どうしが部分的に固着されている請求項１記載の着用物品。
【請求項３】  前記ベースシートが、前記パネルの側に位置する第１シートと、前記第１シートの外側に位置する第２シートとから形成され、前記第２端部が、前記第１シートと前記第２シートとのうちの少なくとも一方から形成されている請求項１または請求項２に記載の着用物品。
【請求項４】  前記胴周り用弾性部材が、前記第１シートと前記第２シートとの間に介在している請求項３記載の着用物品。
【請求項５】  前記前後胴周り域では、前記パネルの両側縁部の胴周り方向外方に位置する前記ベースシートの側縁近傍が固着され、前記着用物品には、胴周り開口と一対の脚周り開口とが形成されている請求項１ないし請求項４いずれかに記載の着用物品。
【請求項６】  前記パネルが、肌当接側に位置する透液性表面シートと、肌非当接側に位置する不透液性裏面シートと、前記表裏面シートの間に介在する吸液性コアとから形成されている請求項１ないし請求項５いずれかに記載の着用物品。
【発明の詳細な説明】
【０００１】
【発明の属する技術分野】
本発明は、排泄物を吸収、保持する使い捨て着用物品に関する。
【０００２】
【従来の技術】
特開平１０−２５８０８２号公報は、透液性表面シートと不透液性裏面シートとの間に吸液性コアが介在し、前後胴周り域に位置するコアの両端縁部から縦方向外方へ延びる第１端部と、第１端部からさらに縦方向外方へ延びる第２端部とを有し、胴周り方向へ延びる胴周り用弾性部材が第１端部に収縮可能に取り付けられ、第２端部が第１端部の外面の側へ向かって折り返され、第２端部の胴周り方向へ延びる先端域が胴周り用弾性部材を縦方向へ越えた位置で第１端部に固着された使い捨ておむつを開示している。
【０００３】
第１および第２端部は、コアの両端縁部から縦方向外方へ延びる表面シートと裏面シートとから形成されている。第２端部の先端域を除く残余の域では、第１端部と第２端部とが固着されておらず、それら端部どうしが遊離している。第１端部の略全域には、胴周り用弾性部材が胴周り方向内方へ収縮することによって多数のギャザーが形成されている。前後胴周り域では、コアの両側縁部の胴周り方向外方に位置する表裏面シートの側縁が合掌状に重なり合い、表裏面シートの側縁近傍が縦方向へ間欠的に並ぶ多数の熱融着線を介して固着されている。このおむつは、パンツ型を呈し、胴周り開口と一対の脚周り開口とを有する。このおむつは、第１端部に形成されたギャザー（小皺）が第２端部に被覆されているので、ギャザーによって生ずる第１端部のざらざらした肌触りやギャザーによる肌痛めを解消することができるという効果を有する。
【０００４】
【発明が解決しようとする課題】
前記公報に開示のおむつでは、第２端部が第１端部の外面へ向かって折り返されているので、おむつを着用したときに、多数のギャザーが形成された第１端部が着用者の肌に直に接する。第１端部が着用者の肌に接すると、第１端部に形成されたギャザーが着用者の肌に当たるので、端部の肌触りが悪くなることはもちろん、着用者の肌にギャザーによる圧迫跡が付いてしまう場合がある。また、第１端部に形成されたギャザーと着用者の肌との間に隙間が生じ、コアに吸収しきれない排泄物が隙間からおむつの外側に漏れてしまう場合がある。
【０００５】
本発明の第１の課題は、胴周り用弾性部材の収縮によって前後胴周り域の端部に多数のギャザーが形成されたとしても、ギャザーによる肌触りの低下を防ぐことができ、ギャザーによって着用者の肌に圧迫跡が付くことがない使い捨て着用物品を提供することにある。本発明の第２の課題は、前後胴周り域の端部を着用者の肌に密着させることができ、排泄物が前後胴周り域の端部から漏れることがない使い捨て着用物品を提供することにある。
【０００６】
【課題を解決するための手段】
前記課題を解決するための本発明の前提は、前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートが、前記前後胴周り域に位置する前記パネルの両端縁部から縦方向外方へ延びる第１端部と、前記第１端部からさらに縦方向外方へ延びる第２端部とを有し、胴周り方向へ延びる胴周り用弾性部材が、前記第１端部に収縮可能に取り付けられ、前記第２端部が、前記第１端部の内面の側へ向かって折り返されて該第１端部に重なり、前記第２端部の胴周り方向へ延びる先端域が、前記胴周り用弾性部材を覆うように前記第１端部に固着された使い捨て着用物品である。
【０００７】
前記前提における本発明の特徴は、前記第１端部と前記第２端部とが、前記パネルの両側縁の胴周り方向外方に位置する両側域と、前記先端域と前記両側域とに囲まれた中央域とを有し、前記第１および第２端部の両側域では、それら端部どうしが互いに固着され、前記第１および第２端部の中央域では、それら端部どうしが遊離していることにある。
【０００８】
本発明の実施の態様の一例として、前記第１および第２端部の中央域では、それら端部どうしが部分的に固着されている。
【０００９】
本発明の実施の態様の他の一例としては、前記ベースシートが、前記パネルの側に位置する第１シートと、前記第１シートの外側に位置する第２シートとから形成され、前記第２端部が、前記第１シートと前記第２シートとのうちの少なくとも一方から形成されている。
【００１０】
本発明の実施の態様の他の一例としては、前記胴周り用弾性部材が、前記第１シートと前記第２シートとの間に介在している。
【００１１】
本発明の実施の態様の他の一例として、前記前後胴周り域では、前記パネルの両側縁部の胴周り方向外方に位置する前記ベースシートの前後胴周り域における側縁近傍が固着され、前記着用物品には、胴周り開口と一対の脚周り開口とが形成されている。
【００１２】
本発明の実施の態様の他の一例としては、前記パネルが、肌当接側に位置する透液性表面シートと、肌非当接側に位置する不透液性裏面シートと、前記表裏面シートの間に介在する吸液性コアとから形成されている。
【００１３】
【発明の実施の形態】
添付の図面を参照し、本発明に係る使い捨て着用物品の詳細を説明すると、以下のとおりである。
【００１４】
図１，２は、一例として示す着用物品１Ａの斜視図と、前後胴周り域４，６の連結を解除した状態で示す図１の物品１Ａの部分破断展開平面図とであり、図３，４は、図２のＡ−Ａ線端面図と、図２のＢ−Ｂ線端面図とである。図１，２では、胴周り方向を矢印Ｘ、縦方向を矢印Ｙで示し、脚周り方向を矢印Ｚ（図１のみ）で示す。なお、内外側シート１３，１４（第１および第２シート）や表裏面シート２４，２５の内面とは、コア２６に対向する面をいい、それらシート１３，１４，２４，２５の外面とは、コア２６に非対向の面をいう。
【００１５】
物品１Ａは、ベースシート２と、ベースシート２の内側に固着された液吸収パネル３とから構成されている。ベースシート２は、互いに対向する前胴周り域４および後胴周り域６と、それら胴周り域４，６の間に位置する股下域５とを画成している。パネル３は、ベースシート２の前後胴周り域４，６間に延び、ベースシート２の前後胴周り域４，６に位置して胴周り方向へ延びる両端縁部７と、ベースシート２の前後胴周り域４，６間に延びる両側縁部８とを有する。
【００１６】
前後胴周り域４，６では、パネル３の両側縁部８の外側に位置するベースシート２の側縁９が合掌状に重なり合い、ベースシート２の側縁９近傍が縦方向へ間欠的に並ぶ多数の熱融着線１０を介して連結されている。物品１Ａは、パンツ型を呈し、胴周り開口１１とその下方に一対の脚周り開口１２とを有する。股下域５は、物品１Ａの胴周り方向内方へ向かって弧を画いている。ベースシート２は、図２に示すように、その平面形状が実質的に砂時計型を呈する。
【００１７】
ベースシート２は、パネル３の側に位置する内側シート１３（第１シート）と、内側シート１３の外側に位置する外側シート１４（第２シート）とから形成されている。内側シート１３と外側シート１４とには、疎水性繊維不織布が使用されている。内側シート１３と外側シート１４とは、それらシート１３，１４の内外面の少なくとも一方に間欠的に塗布されたホットメルト接着剤（図示せず）を介して固着されている。
【００１８】
ベースシート２は、パネル３の両端縁部７から縦方向外方へ延びる第１端部１５と、第１端部１５からさらに縦方向外方へ延びる第２端部１６とを有する。第１端部１５には、胴周り方向へ延びる複数条の胴周り用弾性部材１７が収縮可能に取り付けられている。ベースシート２では、第２端部１６が第１端部１５の内面の側へ向かって折り返され、第１端部１５と第２端部１６とが互いに重なり合っている。第１および第２端部１５，１６は、内側シート１３と外側シート１４とから形成されている。
【００１９】
第２端部１６の胴周り方向へ延びる先端域１８は、胴周り用弾性部材１７を縦方向へ越えた位置で第１端部１５に固着されている。第１端部１５と第２端部１６とは、パネル３の両側縁部８の胴周り方向外方に位置する両側域１９，２０と、先端域１８と両側域１９，２０との間に位置する中央域２１，２２とを有する。第１および第２端部１５，１６の両側域１９，２０では、それら端部１５，１６どうしが互いに固着されている。第１および第２端部１５，１６の中央域２１，２２では、それら端部１５，１６どうしが固着されておらず、それら端部１５，１６どうしが遊離している。
【００２０】
第２端部１６の先端域１８では、互いに重なり合う内側シート１３の内面どうしがホットメルト型接着剤２８を介して固着されている。第１および第２端部１５，１６の両側域１９，２０では、互いに重なり合う内側シート１３の内面どうしがホットメルト型接着剤２９を介して固着されている。胴周り用弾性部材１７は、内側シート１３と外側シート１４との間に介在し、それらシート１３，１４の内外面にホットメルト型接着剤３０を介して固着されている。
【００２１】
ベースシート２の股下域５における脚周り開口１２の縁部１２ａには、脚周り方向へ延びる複数条の脚周り用弾性部材２３が収縮可能に取り付けられている。脚周り用弾性部材２３は、内側シート１３と外側シート１４との間に介在し、それらシート１３，１４の内外面の少なくとも一方にホットメルト型接着剤（図示せず）を介して固着されている。
【００２２】
パネル３は、縦方向へ長い矩形を呈し、肌当接側に位置する透液性表面シート２４と、肌非当接側に位置する不透液性裏面シート２５と、表裏面シート２４，２５の間に介在する吸液性コア２６とから形成されている。パネル３では、それを形成する裏面シート２５の外面全域が内側シート１３の内面にホットメルト型接着剤（図示せず）を介して間欠的に固着されている。なお、パネル３は、その両端縁部７における裏面シート２５の外面が内側シート１３の内面に間欠的に固着され、両端縁部７を除く残余の部位が内側シート１３から遊離していてもよい。表面シート２４と裏面シート２５とは、コア２４の周縁から周方向外方へ延びるそれらシート２４，２５の周縁部が互いに重なり合った状態で固着されている。
【００２３】
図５は、図１のＣ−Ｃ線端面図である。物品１Ａでは、図５に示すように、胴周り用弾性部材１７が胴周り方向内方へ収縮し、第１および第２端部１５，１６の両側域１９，２０と第１端部１５の中央域２１とに多数のギャザー２７（小皺）が形成されている。物品１Ａは、第１端部１５の中央域２１と第２端部１６の中央域２２とが遊離しているので、胴周り用弾性部材１７が収縮したとしても、第２端部１６の中央域２２がわずかに起伏するだけである。
【００２４】
物品１Ａは、それを着用したときに、わずかに起伏する第２端部１６の中央域２２が着用者の肌に直に接するので、中央域２２における肌触りがよく、第１端部１５の中央域２１に形成されたギャザー２７が着用者の肌に直に接することによる肌触りの低下を防ぐことができる。このおむつ１Ａは、第２端部１６の中央域２２において着用者の肌にギャザーによる圧迫跡が付いてしまうことはない。また、第２端部１６の中央域２２がわずかに起伏するだけなので、第２端部１６の中央域２２を着用者の肌に密着させることができ、中央域２２と着用者の肌との間に隙間が生じることはなく、パネル３に吸収しきれない排泄物が中央域２２から物品１Ａの外側に漏れてしまうことはない。
【００２５】
物品１Ａは、第２端部１６の両側域１９に多数のギャザー２７が形成されているので、第２端部１６の両側域１９と着用者の肌との間に隙間が生じ、隙間から物品１Ａ内部の湿気を外部に逃がすことができ、物品１Ａ内部の蒸れを防ぐことができる。
【００２６】
図６，７は、他の一例として示す着用物品１Ｂの斜視図と、図６のＤ−Ｄ線端面図とであり、図８は、図６のＥ−Ｅ線端面図である。図６では、胴周り方向を矢印Ｘで示し、縦方向を矢印Ｙで示す。
【００２７】
物品１Ｂは、ベースシート２と、ベースシート２の内側に固着された液吸収パネル３とから構成されている。ベースシート２は、互いに対向する前胴周り域４および後胴周り域６と、それら胴周り域４，６の間に位置する股下域５とを画成している。パネル３は、ベースシート２の前後胴周り域４，６間に延びている。
【００２８】
ベースシート２は、パネル３の側に位置する内側シート１３（第１シート）と、内側シート１３の外側に位置する外側シート１４（第２シート）とから形成されている。内側シート１３と外側シート１４とには、疎水性繊維不織布が使用されている。内側シート１３と外側シート１４とは、それらシート１３，１４の少なくとも一方に間欠的に塗布されたホットメルト接着剤（図示せず）を介して固着されている。
【００２９】
ベースシート２は、前後胴周り域４，６に位置するパネル３の両端縁部７から縦方向外方へ延びる第１端部１５と、第１端部１５からさらに縦方向外方へ延びる第２端部１６とを有する。第１端部１５には、胴周り方向へ延びる複数条の胴周り用弾性部材１７が収縮可能に取り付けられている。ベースシート２では、第２端部１６が第１端部１５の内面の側へ向かって折り返され、第１端部１５と第２端部１６とが互いに重なり合っている。第１端部１５は内側シート１３と外側シート１４とから形成され、第２端部１６は外側シート１４から形成されている。
【００３０】
第２端部１６の胴周り方向へ延びる先端域１８は、胴周り用弾性部材１７を縦方向へ越えた位置で第１端部１５に固着されている。第１端部１５と第２端部１６とは、パネル３の両側縁部８の胴周り方向外方に位置する両側域１９，２０と、先端域１８と両側域１９，２０との間に位置する中央域２１，２２とを有する。第１および第２端部１５，１６の両側域１９，２０では、それら端部１５，１６どうしが互いに固着されている。第１および第２端部１５，１６の中央域２１，２２では、それらの略中心部分２１ａ，２２ａにおいてそれら端部１５，１６どうしが互いに固着されている。第１および第２端部１５，１６の中央域２１，２２の中心部分２１ａ，２２ａを除く残余の部分２１ｂ，２２ｂでは、それら端部１５，１６どうしが固着されておらず、それら端部１５，１６どうしが遊離している。
【００３１】
第２端部１６の先端域１８では、互いに重なり合う内側シート１３の外面と外側シート１４の内面とがホットメルト型接着剤２８を介して固着されている。それら端部１５，１６の両側域１９，２０と中央域２１，２２の中心部分２１ａ，２２ａとでは、互いに重なり合う内側シート１３の外面と外側シート１４の内面とがホットメルト型接着剤２９を介して固着されている。胴周り用弾性部材１７は、内側シート１３と外側シート１４との間に介在し、それらシート１３，１４の内外面にホットメルト型接着剤３０を介して固着されている。
【００３２】
ベースシート２の股下域５の縁部には、脚周り方向へ延びる複数条の脚周り用弾性部材２３が収縮可能に取り付けられている。脚周り用弾性部材２３は、内側シート１３と外側シート１４との間に介在し、それらシート１３，１４の内外面の少なくとも一方にホットメルト型接着剤（図示せず）を介して固着されている。
【００３３】
パネル３は、透液性表面シート２４と、不透液性裏面シート２５と、表裏面シート２４，２５の間に介在する吸液性コア２６とから形成されている。パネル３では、それを形成する裏面シート２５の外面全域が内側シート１３の内面に間欠的に固着されている。表面シート２４と裏面シート２５とは、コア２６の周縁から周方向外方へ延びるそれらシート２４，２５の周縁部が互いに重なり合った状態で固着されている。
【００３４】
ベースシート２の後胴周り域６には、その側縁９から胴周り方向外方へ延びる一対のテープファスナ３１が取り付けられている。テープファスナ３１は、粘着剤（図示せず）が塗布された自由端部３１ａと、後胴周り域６に固着された固定端部３１ｂとを有する。前胴周り域４における外側シート１４の外面には、テープファスナ３１の自由端部３１ａを着脱可能に止着する矩形のターゲットテープ３２が取り付けられている。テープファスナ３１とターゲットテープ３２とには、可撓性を有するプラスチックフィルムが使用されている。
【００３５】
物品１Ｂを着用するには、後胴周り域６の側縁９近傍を前胴周り域４の側縁９近傍の外側に重ね合わせ、粘着剤を介してテープファスナ３１の自由端部３１ａをターゲットテープ３２に止着し、前胴周り域４と後胴周り域６とを連結する。前後胴周り域４，６が連結された物品１Ｂには、胴周り開口とその下方に一対の脚周り開口とが形成される（図示せず）。
【００３６】
図９は、図６のＦ−Ｆ線端面図である。物品１Ｂでは、図９に示すように、胴周り用弾性部材１７が胴周り方向内方へ収縮し、第１および第２端部１５，１６の両側域１９，２０と第１および第２端部１５，１６の中央域２１，２２の中心部分２１ａ，２２ａとに多数のギャザー２７（小皺）が形成されている。物品１Ｂは、第１および第２端部１５，１６の中央域２１，２２のうちの中心部分２１ａ，２２ａを除く残余の部分２１ｂ，２２ｂにおいてそれら端部１５，１６どうしが遊離しているので、胴周り用弾性部材１７が収縮したとしても、第２端部１６の残余の部分２２ｂがわずかに起伏するだけである。
【００３７】
物品１Ｂは、第２端部１６の残余の部分２２ｂがわずかに起伏するだけであり、物品１Ｂを着用したときに、着用者の肌に直に接する第２端部１６の残余の部分２２ｂの肌触りがよく、第２端部１６の残余の部分２２ｂにおいて着用者の肌にギャザーによる圧迫跡が付くことはない。また、第２端部１６の残余の部分２２ｂを着用者の肌に密着させることができ、残余の部分２２ｂと着用者の肌との間に隙間が生じることはなく、排泄物が部分２２ｂから物品１Ｂの外側へ漏れてしまうことはない。
【００３８】
物品１Ｂの第２端部１６は、外側シート１４から形成されているので、第２端部１６が内側シート１３と外側シート１４とから形成されている場合と比較し、第２端部１６の剛性が低下し、第２端部１６の肌触りが向上することはもちろん、第２端部１６の残余の部分２２ｂを着用者の肌へ確実に密着させることができる。
【００３９】
物品１Ｂは、第２端部１６の両側域２０と中央域２２の中心部分２２ａとが第１端部１５に固着されているので、物品１Ｂの着用時に胴周り用弾性部材１７の収縮力に抗して第１および第２端部１５，１６を胴周り方向外方へ伸長させたとしても、第２端部１６と第１端部１５とが互いに離間することはない。物品１Ｂの着用時に第２端部１６と第１端部１５とが離間すると、それら端部１５，１６が二重または三重に折り重なって着用されてしまう場合がある。しかし、この物品１Ｂは、その着用時に第１および第２端部１５，１６が離間することはなく、それら端部１５，１６が折り重なって着用されてしまうことはない。
【００４０】
外側シート１３や内側シート１４には、通気不透液性プラスチックフィルム、疎水性繊維不織布どうしを重ね合わせた複合不織布、疎水性繊維不織布と通気不透液性プラスチックフィルムとを重ね合わせた複合シートのいずれかを使用することもできる。
【００４１】
表面シート２４には、親水性繊維不織布、多数の開孔を有する疎水性繊維不織布、微細な多数の開孔を有するプラスチックフィルムのいずれかを使用することができる。裏面シート２５には、疎水性繊維不織布、通気不透液性プラスチックフィルム、疎水性繊維不織布どうしを重ね合わせた複合不織布、疎水性繊維不織布と通気不透液性プラスチックフィルムとを重ね合わせた複合シートのいずれかを使用することができる。
【００４２】
不織布には、スパンレース、ニードルパンチ、メルトブローン、サーマルボンド、スパンボンド、ケミカルボンド、エアースルー、の各製法により製造されたものを使用することができる。不織布の構成繊維には、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４３】
コア２６は、フラッフパルプと高吸収性ポリマー粒子との混合物、または、フラッフパルプと高吸収性ポリマー粒子と熱可塑性合成樹脂繊維との混合物であり、所定の厚みに圧縮されている。コア２６は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４４】
表面シート２４と裏面シート２５との固着、表裏面シート２４，２５に対するコア２６の固着には、ホットメルト型接着剤、または、ヒートシールやソニックシール等の熱による溶着手段を利用することができる。
【００４５】
それら図示の着用物品１Ａ，１Ｂでは、ベースシート２の第２端部１６が、内側シート１３から形成されていてもよく、胴周り用弾性部材１７が内側シート１３の内面に収縮可能に取り付けられていてもよい。
【００４６】
【発明の効果】
本発明にかかる使い捨て着用物品によれば、第１および第２端部の中央域においてそれら端部どうしが遊離しているので、胴周り用弾性部材が胴周り方向内方へ収縮したとしても、第２端部の中央域にギャザーが形成されることはなく、物品を着用したときに、着用者の肌に直に接する第２端部の中央域の肌触りがよく、第２端部の中央域において着用者の肌にギャザーによる圧迫跡が付くことはない。また、第２端部の中央域を着用者の肌に密着させることができ、第２端部の中央域と着用者の肌との間に隙間が生じることはなく、排泄物が第２端部の中央域から物品の外側に漏れてしまうことを防ぐことができる。
【００４７】
この物品は、胴周り用弾性部材の収縮によって第２端部の両側域に多数のギャザーが形成されるので、第２端部の両側域と着用者の肌との間に隙間が生じ、隙間から物品内部の湿気を外部に逃がすことができ、物品内部の蒸れを防ぐことができる。
【００４８】
第１および第２端部の中央域においてそれら端部どうしが部分的に固着された物品では、その着用時に第１および第２端部１５，１６が互いに離間することはなく、それら端部１５，１６が折り重なって着用されてしまうことはない。
【図面の簡単な説明】
【図１】
一例として示す着用物品の斜視図。
【図２】
前後胴周り域の連結を解除した状態で示す図１の物品の部分破断展開平面図。
【図３】
図２のＡ−Ａ線端面図。
【図４】
図２のＢ−Ｂ線端面図。
【図５】
図１のＣ−Ｃ線矢視断面図。
【図６】
他の一例として示す着用物品の斜視図。
【図７】
図６のＤ−Ｄ線端面図。
【図８】
図６のＥ−Ｅ線端面図。
【図９】
図６のＦ−Ｆ線端面図。
【符号の説明】
１Ａ          使い捨て着用物品
１Ｂ          使い捨て着用物品
２            ベースシート
３            液吸収パネル
４            前胴周り域
５            股下域
６            後胴周り域
７            両端縁部
８            両側縁部
９            側縁
１１            胴周り開口
１２            脚周り開口
１３            第１シート（内側シート）
１４            第２シート（外側シート）
１５            第１端部
１６            第２端部
１７            胴周り用弾性部材
１８            先端域
１９            両側域
２０            両側域
２１            中央域
２１ａ          中心部分
２１ｂ          残余の部分
２２            中央域
２２ａ          中心部分
２２ｂ          残余の部分
２４            透液性表面シート
２５            不透液性裏面シート
２６            吸液性コア
【手続補正２】
【補正対象書類名】図面
【補正対象項目名】図２
【補正方法】変更
【補正の内容】
【図２】
2004089342.tif 000001
【手続補正３】
【補正対象書類名】図面
【補正対象項目名】図４
【補正方法】変更
【補正の内容】
【図４】
2004089342.tif 000002
【手続補正４】
【補正対象書類名】図面
【補正対象項目名】図５
【補正方法】変更
【補正の内容】
【図５】
2004089342.tif 000003
【手続補正５】
【補正対象書類名】図面
【補正対象項目名】図６
【補正方法】変更
【補正の内容】
【図６】
2004089342.tif 000004
【手続補正６】
【補正対象書類名】図面
【補正対象項目名】図７
【補正方法】変更
【補正の内容】
【図７】
2004089342.tif 000005
【手続補正７】
【補正対象書類名】図面
【補正対象項目名】図８
【補正方法】変更
【補正の内容】
【図８】
2004089342.tif 000006
【手続補正８】
【補正対象書類名】図面
【補正対象項目名】図９
【補正方法】変更
【補正の内容】
【図９】
2004089342.tif 000007